(57)【要約】開示されるのは、歯科環境において使用するための情報及びデータロギングシステムである。歯科環境は、いくつかの個々の選択可能な歯科器具と、選択された歯科器具の動作を制御するための少なくとも１つの器具制御ユニットとを含む歯科ユニットを備える。情報及びデータロギングシステムは、処理ユニットと、歯科治療に関連する情報を表示するための１つ又は複数のディスプレイ及び１つ又は複数の入力ユニットとを備え、１つ又は複数のディスプレイ及び１つ又は複数の入力ユニットの両方は、前記処理ユニットに動作可能に接続可能である。処理ユニットは、使用者が、ステップの１つ又は複数の代替のシーケンスのうちのステップの選択された代替のシーケンスを１つ又は複数の入力ユニットを使用して選択することを可能にするように構成される。【選択図】図３
2020534089.tif 000002
【特許請求の範囲】
【請求項１】
歯科環境において使用するための情報及びデータロギングシステムであって、前記歯科環境は、いくつかの個々の選択可能な歯科器具と、選択された歯科器具の動作を制御するための少なくとも１つの器具制御ユニットとを含む歯科ユニットを備え、前記情報及びデータロギングシステムは、処理ユニットと、歯科治療に関連する情報を表示するための１つ又は複数のディスプレイ及び１つ又は複数の入力ユニットとを備え、前記１つ又は複数のディスプレイ及び前記１つ又は複数の入力ユニットの両方は、前記処理ユニットに動作可能に接続可能であり、前記処理ユニットは、
・使用者が、複数の歯科治療のうちの選択された歯科治療を前記１つ又は複数の入力ユニットを使用して選択することを可能にすることと、ここで、前記複数の歯科治療のうちの各歯科治療は、複数の連続するステップを備え、
・前記選択された歯科治療の前記複数の連続するステップのうちの第１のステップを実行することに関連する情報を示すように前記１つ又は複数のディスプレイのうちの１つを制御することと、
・前記使用者が前記第１のステップを完了したことを示す信号を受信したことに応答して、前記選択された歯科治療の前記複数の連続するステップのうちの所定の第２のステップを実行することに関連する情報を示すように前記１つ又は複数のディスプレイのうちの１つを制御することと、
を行うように構成され、
前記処理ユニットは、
前記所定の第２のステップ又は前記所定の第２のステップに後続するステップのために、使用者が、複数ステップの１つ又は複数の選ばれた選択可能な代替のシーケンスのうちのステップの選択された代替のシーケンスを前記１つ又は複数の入力ユニットを使用して選択することを可能にすることと、
複数ステップの前記１つ又は複数の選択可能な代替のシーケンスが、前記選択された歯科治療と前記選択された歯科治療の現在のステップとの両方に依存して選ばれることと、
複数ステップの前記１つ又は複数の選択可能な代替のシーケンスが、１つ又は複数のステップを備え、前記選択に応答して、ステップの前記選択された代替のシーケンスのうちの第１のステップを実行することに関連する情報を示すように前記１つ又は複数のディスプレイのうちの１つを制御することと、
前記使用者が歯科治療を完了及び／又は終了したことを示す信号を受信したことに応答して、少なくとも前記選択された歯科治療及び複数ステップの全ての選択された代替のシーケンスを指定するデータログを生成することと、
を行うように更に構成される、情報及びデータロギングシステム。
【請求項２】
複数ステップの前記１つ又は複数の選ばれた選択可能な代替のシーケンスは、複数のステップを備え、前記処理ユニットは、前記使用者が複数ステップの前記選択された代替のシーケンスのうちの前記第１のステップを完了したことを示す信号を受信したことに応答して、複数ステップの前記選択された代替のシーケンスのうちの所定の第２のステップを実行することに関連する情報を示すように前記１つ又は複数のディスプレイのうちの１つを制御するように更に構成される、請求項１に記載の情報及びデータロギングシステム。
【請求項３】
前記複数の歯科治療のうちの少なくとも１つは、前記個々の選択可能な器具のうちの第１の歯科器具の使用を伴う少なくとも１つのステップを備え、前記第１の歯科器具は、前記処理ユニットに接続可能であり、前記処理ユニットは、前記少なくとも１つのステップにおける前記第１の歯科器具の前記使用のために、前記第１の歯科器具についての１つ又は複数の制御パラメータの所定の値を設定するように更に構成される、請求項１又は２に記載の情報及びデータロギングシステム。
【請求項４】
前記第１のステップは第１の歯科器具の使用を伴い、前記第２のステップは第２の歯科器具の使用を伴い、ステップの前記選択された代替のシーケンスのうちの前記第１のステップは第３の歯科器具の使用を伴い、前記第１の歯科器具、前記第２の歯科器具、及び前記第３の歯科器具は前記処理ユニットに接続可能であり、前記処理ユニットは、
・前記第１の歯科器具についての１つ又は複数の制御パラメータの所定の値を設定することと、ここで、前記所定の値は、前記選択された歯科治療の前記第１のステップに適合され、
・前記第２の歯科器具についての１つ又は複数の制御パラメータの所定の値を設定することと、ここで、前記所定の値は、前記選択された歯科治療の前記第２のステップに適合され、
・前記第３の歯科器具についての１つ又は複数の制御パラメータの所定の値を設定することと、ここで、前記所定の値は、複数ステップの前記選択された代替のシーケンスのうちの前記第１のステップに適合される、
を行うように更に構成される、請求項３に記載の情報及びデータロギングシステム。
【請求項５】
複数ステップの前記選ばれた選択可能な複数の代替のシーケンスのうちの１つは、複数ステップのデフォルトシーケンスであり、前記１つ又は複数の入力ユニットは、前記現在のステップが完了したことをアクティブ化されたときに前記処理ユニットにシグナリングする第１のボタンを有し、前記第１のボタンは、複数ステップの前記デフォルトシーケンスを選択するために更に使用される、請求項１〜４のうちのいずれか一項に記載の情報及びデータロギングシステム。
【請求項６】
前記処理ユニットは、前記使用者に臨床決定を行うことを促すように構成され、前記臨床決定は、複数ステップの前記選択された代替のシーケンスの前記選択において使用される、請求項１〜５のうちのいずれか一項に記載の情報及びデータロギングシステム。
【請求項７】
前記複数の歯科治療のうちの１つ又は複数は、選択可能な複数ステップの代替のシーケンスがない、少なくとも１つの連続するステップを有する、請求項１〜６のうちのいずれか一項に記載の情報及びデータロギングシステム。
【請求項８】
前記処理ユニットはデータ記憶ユニットに接続可能であり、前記データ記憶ユニット上に前記データログを記憶するように構成される、請求項１〜６のうちのいずれか一項に記載の情報及びデータロギングシステム。
【請求項９】
歯科治療に関連する情報及びデータロギングを使用者に提供する方法であって、前記方法は、
・使用者が、複数の歯科治療のうちの選択された歯科治療を１つ又は複数の入力ユニットを使用して選択することを可能にすることと、ここで、前記複数の歯科治療のうちの各歯科治療は、複数の連続するステップを備え、
・前記選択された歯科治療の前記複数の連続するステップのうちの第１のステップを実行することに関連する情報を示すように１つ又は複数のディスプレイのうちの１つを制御することと、
・前記使用者が前記第１のステップを完了したことを示す信号を受信したことに応答して、前記選択された歯科治療の前記複数の連続するステップのうちの所定の第２のステップを実行することに関連する情報を示すように前記１つ又は複数のディスプレイのうちの１つを制御することと、
のステップを備え、
前記所定の第２のステップ又は前記所定の第２のステップに後続するステップのために、前記方法は、
・使用者が、複数ステップの１つ又は複数の選ばれた選択可能な代替のシーケンスのうちの複数ステップの選択された代替のシーケンスを前記１つ又は複数の入力ユニットを使用して選択することを可能にすることと、
複数ステップの前記１つ又は複数の選択可能な代替のシーケンスが、前記選択された歯科治療と前記選択された歯科治療の現在のステップとの両方に依存して選ばれることと、
複数ステップの前記１つ又は複数の選択可能な代替のシーケンスが、１つ又は複数のステップを備えることと、
前記選択に応答して、複数ステップの前記選択された代替のシーケンスのうちの第１のステップを実行することに関連する情報を示すように前記１つ又は複数のディスプレイのうちの１つを制御することと、
前記使用者が歯科治療を完了及び／又は終了したことを示す信号を受信したことに応答して、少なくとも前記選択された歯科治療及び複数ステップの全ての選択された代替のシーケンスを指定するデータログを生成することと、
のステップを更に備える、方法。
【請求項１０】
複数ステップの前記１つ又は複数の選ばれた選択可能な代替のシーケンスが複数のステップを備え、前記第１のステップが完了したことを前記使用者が示した後に、前記方法が、
・複数ステップの前記選択された代替のシーケンスのうちの所定の第２のステップを実行することに関連する情報を示すように前記１つ又は複数のディスプレイのうちの１つを制御するステップをさらに備える、請求項８に記載の方法。
【請求項１１】
前記複数の歯科治療のうちの少なくとも１つは、個々の選択可能な器具のうちの第１の歯科器具の使用を伴う少なくとも１つのステップを備え、１つ又は複数の制御パラメータの所定の値が、前記少なくとも１つのステップを実行するための前記第１の歯科器具について設定される、請求項８または９に記載の方法。
【請求項１２】
前記第１のステップは、第１の歯科器具の使用を伴い、前記第２のステップは、第２の歯科器具の使用を伴い、ステップの前記選択された代替のシーケンスのうちの前記第１のステップは、第３の歯科器具の使用を伴い、前記方法は、
・前記第１の歯科器具についての１つ又は複数の制御パラメータの所定の値を設定することと、前記所定の値は、前記選択された歯科治療の前記第１のステップに適合される、
・前記第２の歯科器具についての１つ又は複数の制御パラメータの所定の値を設定することと、前記所定の値は、前記選択された歯科治療の前記第２のステップに適合される、
・前記第３の歯科器具についての１つ又は複数の制御パラメータの所定の値を設定することと、前記所定の値は、複数ステップの前記選択された代替のシーケンスのうちの前記第１のステップに適合される、
を更に備える、請求項１１に記載の方法。
【請求項１３】
複数ステップの前記複数の選ばれた選択可能な代替のシーケンスのうちの１つは、複数ステップのデフォルトシーケンスであり、前記１つ又は複数の入力ユニットは、前記現在のステップが完了したことをアクティブ化されたときにシグナリングする第１のボタンを有し、前記第１のボタンは、複数ステップの前記デフォルトシーケンスを選択するために更に使用される、請求項８〜１０のうちのいずれか一項に記載の方法。
【請求項１４】
前記使用者は、臨床決定を行うことを促され、前記臨床決定は、複数ステップの前記選択された代替のシーケンスの前記選択において使用される、請求項９〜１３のうちのいずれか一項に記載の方法。
【請求項１５】
前記方法は、データ記憶ユニット上に前記データログを記憶するステップを更に備える、請求項９〜１４のうちのいずれか一項に記載の方法。
【請求項１６】
情報及び／又は制御システムに、請求項９〜１５のうちのいずれか一項に記載の方法のステップを実行させるように適合されたプログラムコード手段を備えるコンピュータプログラム製品であって、前記情報及び／又は制御システムは、歯科環境において使用するためのものであり、前記歯科環境は、いくつかの個々の選択可能な歯科器具と、選択された歯科器具の動作を制御するための少なくとも１つの器具制御ユニットとを含む歯科ユニットを備え、前記情報及び／又は制御システムは、処理ユニットと、歯科治療に関連する情報を表示するための１つ又は複数のディスプレイ及び１つ又は複数の入力ユニットとを備え、前記１つ又は複数のディスプレイ及び前記１つ又は複数の入力ユニットの両方は、前記処理ユニットに動作可能に接続可能である、コンピュータプログラム製品。
【請求項１７】
前記コンピュータプログラム製品は、前記プログラムコード手段を記憶した非一時的コンピュータ可読媒体を備える、請求項１６に記載のコンピュータプログラム製品。
【発明の詳細な説明】
【技術分野】
【０００１】
本発明は、歯科環境において使用するための情報及びデータロギングシステムに関する。本発明は更に、歯科治療に関連する情報及びデータロギングを提供する方法に関する。
【背景技術】
【０００２】
歯科治療は典型的に、成功した結果のために実行されなければならないいくつかの連続するステップを含む。歯科治療の例は、充填治療、根管治療、歯冠治療、歯科ブリッジ治療、インプラント治療、及び歯のホワイトニング治療である。
【０００３】
個々の連続するステップは、典型的には歯科医によって記憶され、いかなる技術的支援もなしに実行される。歯科医が熟練した専門家であっても、ヒューマンエラーのリスクが存在する。更に、経験及びベストプラクティス手順を共有することは困難であり得る。
【０００４】
国際公開第２００４／０８０３２４号は、いくつかの選択可能な歯科器具と、それらの動作を制御するための制御部材と、患者台と、歯科医及び歯科看護師のための作業位置とを有する歯科ユニットを有する歯科環境において使用するための情報及び制御システムを開示している。コンピュータは、選択可能な歯科治療を列挙する治療プロトコルを記憶するために、及び治療において実行されるべき各治療の連続するステップのために提供される。治療及び動作が表示され、プロトコル制御手段が、前記プロトコルに列挙された治療及び動作の選択のためにコンピュータ手段にコマンドを入力するために提供される。
【０００５】
このことから、歯科医は、歯科治療を行うときにサポートを提供される。
【０００６】
しかしながら、歯科医が、かなりの数の可能な治療から正しい治療を選択することは困難であり得る。更に、誤った治療が選択された場合には、システムを用いて作業することが困難であり得る。このことから、実際には、歯科医は、記憶された治療プロトコルを必要な治療に適合させるように手動で即席で対応しなければならないであろう。これは、あらゆる生成されたデータログの精度を低下させることになる。
【０００７】
米国特許出願公開第２０１６／２１０４２４号は、患者用の医学的治療計画を組み立てるコンピュータ実装方法を開示している。本方法は、コンピュータシステムによって、第１の治療選択肢及び第２の治療選択肢を提示することを含む。コンピュータシステムにおいて、第１の治療選択肢の第１の選択を受信し、第２の治療選択肢の第２の選択を受信する。
【０００８】
このことから、ビルディングブロックを組み立てることによって、使用者は、特定の歯科治療を記録し得る。
【０００９】
しかしながら、全ての個々のビルディングブロックを選択することは、複雑で時間がかかり得る。
【００１０】
このことから、より柔軟で使用しやすい、歯科環境において使用するための情報及びデータロギングシステムを提供することが依然として課題である。
【発明の概要】
【００１１】
第１の態様によると、本発明は、歯科環境において使用するための情報及びデータロギングシステムに関し、前記歯科環境は、いくつかの個々の選択可能な歯科器具と、選択された歯科器具の動作を制御するための少なくとも１つの器具制御ユニットとを含む歯科ユニットを備え、前記情報及びデータロギングシステムは、処理ユニットと、歯科治療に関連する情報を表示するための１つ又は複数のディスプレイ及び１つ又は複数の入力ユニットとを備え、前記１つ又は複数のディスプレイ及び前記１つ又は複数の入力ユニットの両方は、前記処理ユニットに動作可能に接続可能であり、前記処理ユニットは、
・使用者が、複数の歯科治療のうちの選択された歯科治療を前記１つ又は複数の入力ユニットを使用して選択することを可能にすること、前記複数の歯科治療のうちの各歯科治療は、複数の連続するステップを備える、
・前記選択された歯科治療の前記複数の連続するステップのうちの第１のステップを実行することに関連する情報を示すように前記１つ又は複数のディスプレイのうちの１つを制御すること、
・前記使用者が前記第１のステップを完了したことを示す信号を受信したことに応答して、前記選択された歯科治療の前記複数の連続するステップのうちの所定の第２のステップを実行することに関連する情報を示すように前記１つ又は複数のディスプレイのうちの１つを制御すること
を行うように構成され、前記処理ユニットは、前記所定の第２のステップ又は前記所定の第２のステップに後続するステップのために、使用者が、ステップの１つ又は複数の選ばれた選択可能な代替のシーケンスのうちのステップの選択された代替のシーケンスを前記１つ又は複数の入力ユニットを使用して選択することを可能にすることと、ステップの前記１つ又は複数の選択可能な代替のシーケンスは、前記選択された歯科治療と前記選択された歯科治療の現在のステップ、即ち、前記所定の第２のステップ又は前記所定の第２のステップに後続するステップ、との両方に依存して選ばれ、ステップの前記１つ又は複数の選択可能な代替のシーケンスは、１つ又は複数のステップを備え、前記選択に応答して、ステップの前記選択された代替のシーケンスのうちの第１のステップを実行することに関連する情報を示すように前記１つ又は複数のディスプレイのうちの１つを制御することと、前記使用者が歯科治療を完了及び／又は終了したことを示す信号を受信したことに応答して、少なくとも前記選択された歯科治療及びステップの全ての選択された代替のシーケンスを指定するデータログを生成することとを行うように更に構成される。
【００１２】
その結果として、使用者がステップの１つ又は複数の代替のシーケンスのうちのステップの選択された代替のシーケンスを選択することを可能にすることによって、より柔軟なシステムが提供される。これは、任意の治療ステップが完了する前に必要とされる正確な歯科治療を予測するタスクから歯科医療専門家を解放する、即ち、歯科医療専門家は、治療が開始された後に利用可能になる情報を使用して、完全な治療を構成し得る。更に、システムは、歯科医療専門家から要求される限られた作業のみで、特定の歯科治療について精確なデータログが作成されることを可能にする。
【００１３】
歯科環境は、歯科医療専門家が作業する環境、即ち、歯科医が患者に歯科治療を行う環境である。歯科ユニットは典型的に、患者を支持するための歯科チェアを含む。１つ又は複数の入力ユニットは、足踏み式入力ユニット、タッチスクリーン、及び／又はコンピュータマウスであり得る。選択された歯科治療を選択するステップは、歯を選択するステップと、選択された歯のための歯科治療を選択するステップとを備え得る。特定のステップ（例えば、第１のステップ、第２のステップ、及び／又は後続のステップ）を実行することに関連する情報は、特定のステップを実行するために必要とされる歯科器具の指示、特定のステップを説明する１つ又は複数の単語、特定のステップを示すグラフィカル表現、例えば、特定のステップを例示するグラフィカルアイコン又はムービーを備え得る。処理ユニットは、使用者が特定のステップを実行することに関連する追加の情報を要求することを可能にするように構成され得、例えば、処理ユニットは、特定のステップを実行することに関連する第１の情報を表示するように１つ又は複数のディスプレイのうちの１つを制御し、使用者からの要求を受信したことに応答して、特定のステップを実行することに関連する第２の情報を表示するように１つ又は複数のディスプレイのうちの１つを制御するように構成され得る。各歯科治療は、前記歯科治療に対してのみ選択可能なステップの関連する特定の代替のシーケンスを有し得る。ステップの特定の代替のシーケンスのうちの１つ又は複数は、前記歯科治療の特定のステップのみに対して選択可能であり得る。
【００１４】
いくつかの実施形態では、複数の歯科治療は、次の歯科治療のうちの少なくとも１つ、２つ、３つ、４つ、５つ、又は６つを備える：  
・充填処理、
・根管治療、
・歯冠治療、
・歯科ブリッジ治療、
・インプラント治療、及び
・歯のホワイトニング治療
【００１５】
いくつかの実施形態では、前記複数の歯科治療は、少なくとも３つ、５つ、又は１０の異なる歯科治療を備え、前記３つ、５つ、又は１０の歯科治療の各々は、ステップの代替のシーケンスの固有のセットを有する。いくつかの実施形態では、処理ユニットは、使用者が、ステップの第１の代替のシーケンス及びステップの第２の代替のシーケンスを含むステップの複数の代替のシーケンスのうちのステップの選択された代替のシーケンスを前記１つ又は複数の入力ユニットを使用して選択することを可能にするように構成され、ステップの第１の代替のシーケンスは、ステップの第２の代替のシーケンスにおいて使用されない器具、材料、及び／又はデバイスの使用を含む。
【００１６】
いくつかの実施形態では、複数の歯科治療のうちの１つ又は複数は、選択可能なステップの代替のシーケンスがない、少なくとも１つの連続するステップを有する。
【００１７】
典型的には、歯科医療専門家は、いかなる知識及びその段階へのアクセスも得ていないことから、複数の歯科治療の各々の少なくとも第１のステップに対して選択可能なステップの代替のシーケンスはない。
【００１８】
いくつかの実施形態では、処理ユニットは、データ記憶ユニットに接続可能であり、データ記憶ユニット上にデータログを記憶するように構成される。
【００１９】
データ記憶ユニットは、例えば、システムの一部を形成するローカルデータ記憶ユニット、又は、例えば、サーバ上のリモートデータ記憶ユニットであり得る。
【００２０】
その結果として、使用者がステップの代替のシーケンスを選択することを可能にすることによって、記憶されたデータは、成功した歯科治療を行う必要があることが多い即興がシステムによって効果的に処理され、それによりログ記録され得ることから、実行された治療をより精確に反映することになる。
【００２１】
いくつかの実施形態では、データログは更に、以下に関連するデータを備える：
・選択された歯科治療において使用される歯科器具についての１つ又は複数の制御パラメータの値、
・選択された歯科治療の連続するステップを実行するために使用される時間、及び／又は、
・ステップの選択された代替のシーケンスの連続するステップを実行するために使用される時間。
【００２２】
いくつかの実施形態では、ステップの前記１つ又は複数の選ばれた選択可能な代替のシーケンスは、複数のステップを備え、前記処理ユニットは、前記使用者がステップの前記選択された代替のシーケンスのうちの前記第１のステップを完了したことを示す信号を受信したことに応答して、ステップの前記選択された代替のシーケンスのうちの所定の第２のステップを実行することに関連する情報を示すように１つ又は複数のディスプレイのうちの１つを制御するように更に構成される。
【００２３】
いくつかの実施形態では、処理ユニットは、
・ステップの１つ又は複数の代替のシーケンスの各々についてのグラフィカル要素及び／又はテキストを示すように１つ又は複数のディスプレイのうちの１つを制御することと
・使用者が、前記１つ又は複数の入力ユニットを使用してグラフィカル要素及び／又はテキストを選択し、それにより、ステップの選択された代替のシーケンスを選択することを可能にすることと
を行うように構成されることによって、使用者がステップの前記選ばれた選択可能な１つ又は複数の代替のシーケンスのうちのステップの選択された代替のシーケンスを選択することを可能にするように構成される。
【００２４】
いくつかの実施形態では、表示されることになるステップの１つ又は複数の代替のシーケンスは、それらの選択の推定確率に依存して選ばれる。
【００２５】
その結果として、よりユーザフレンドリー且つ効果的なユーザインターフェースが提供され得る。
【００２６】
推定確率は、事前に計算され、データ記憶ユニット上に記憶され得る。追加的に／代替的に、推定確率は、情報及び／又は制御システム及び／又は他の同様の情報及び／又は制御システムの特定の使用者及び／又は使用者のグループによって行われた以前の選択に基づいて、処理ユニットによって推定され得る。
【００２７】
いくつかの実施形態では、ステップの１つ又は複数のシーケンスを示す情報は、それらの選択の推定確率に依存して配置される。
【００２８】
いくつかの実施形態では、前記複数の歯科治療のうちの少なくとも１つは、前記個々の選択可能な器具のうちの第１の歯科器具の使用を伴う少なくとも１つのステップを備え、前記第１の歯科器具は、前記処理ユニットに接続可能であり、前記処理ユニットは、前記少なくとも１つのステップにおける前記第１の歯科器具の使用のために、前記第１の歯科器具についての１つ又は複数の制御パラメータの所定の値を設定するように更に構成される。
【００２９】
第１の歯科器具は、処理ユニットに接続された器具制御ユニットに接続されることによって、前記処理ユニットに接続可能であり得る。代替的に、第１の歯科器具は、処理ユニットに直接接続され得る、即ち、歯科環境の情報及び制御システムと器具制御ユニットとの処理ユニットは、単一の処理ユニットに統合され得る。歯科器具の例は、マイクロモータ（例えば、ドリル用）、シリンジ、硬化ライト、カメラ、空気器具（タービン）、スケーラー、及び口腔内カメラである。典型的な歯科治療は、個々のステップ用のいくつかの異なる歯科器具の使用を必要とするであろう。このことから、１つ又は複数の制御パラメータの所定の値が、それらのそれぞれのステップ用の複数の歯科器具について設定され得る。
【００３０】
いくつかの実施形態では、前記処理ユニットは、前記器具制御ユニットを介して前記個々の選択可能な器具に動作可能に接続可能であり、本ステップのために使用されることを意図されない歯科器具をロックするように更に構成され、それにより、使用者は、本ステップのために誤った器具を誤って使用することを防止され得る。
【００３１】
その結果として、より安全なシステムが提供される。
【００３２】
処理ユニットは、ロックされた歯科器具を、使用者がその歯科器具を使用する彼／彼女の意図を確認した後にロック解除するように構成され得る。
【００３３】
いくつかの実施形態では、前記第１のステップは、第１の歯科器具の使用を伴い、前記第２のステップは、第２の歯科器具の使用を伴い、ステップの前記選択された代替のシーケンスのうちの前記第１のステップは、第３の歯科器具の使用を伴い、前記第１の歯科器具、前記第２の歯科器具、及び前記第３の歯科器具は、前記処理ユニットに接続可能であり、前記処理ユニットは、
・前記第１の歯科器具についての１つ又は複数の制御パラメータの所定の値を設定すること、前記所定の値は、前記選択された歯科治療の前記第１のステップに適合される、
・前記第２の歯科器具についての１つ又は複数の制御パラメータの所定の値を設定すること、前記所定の値は、前記選択された歯科治療の前記第２のステップに適合される、
・前記第３の歯科器具についての１つ又は複数の制御パラメータの所定の値を設定すること、前記所定の値は、ステップの前記選択された代替のシーケンスのうちの前記第１のステップに適合される、
を行うように更に構成される。
【００３４】
いくつかの実施形態では、ステップの前記選ばれた選択可能な複数の代替のシーケンスのうちの１つは、ステップのデフォルトシーケンスであり、前記１つ又は複数の入力ユニットは、現在のステップが完了したことをアクティブ化されたときに処理ユニットにシグナリングする第１のボタンを有し、第１のボタンは、ステップの前記デフォルトシーケンスを選択するために更に使用され得る。
【００３５】
その結果として、使用者がステップの複数のシーケンスの間で選択することを可能にすることによって提供される追加の柔軟性は、システムの複雑さを増大させることなしに実装されることができる。
【００３６】
第１のボタンは、足踏み式入力ユニット上のボタン、器具ホルダ上の物理的ボタン、又はタッチスクリーン上のボタンであり得る。
【００３７】
いくつかの実施形態では、処理ユニットは、使用者に臨床決定を行うように促すように構成され、前記臨床決定は、ステップの前記選択された代替のシーケンスの選択において使用される。
【００３８】
使用者は、次のステップ又は後続のステップにおいて使用されるべき材料、外科用コンポーネント、及び／又は歯科器具を示すように促され得る。代替的に／追加的に、使用者は、臨床質問に答えるように求められ得る。
【００３９】
臨床決定は、ステップの選択された代替のシーケンスを選択するために直接使用され得る。代替的に、処理ユニットは、臨床判断に基づいて、前記１つ又は複数のディスプレイのうちの１つ上でステップの１つ又は複数の代替のシーケンスを使用者に提示し、更に、使用者が、ステップの表示された代替のシーケンスのうちの１つを選択することを可能にするように構成され得る。
【００４０】
その結果として、歯科医療専門家は、ステップの代替のシーケンスを選択するプロセスにおいて、特定の臨床決定を行うことを強いられ得る。
【００４１】
第２の態様によると、本発明は、歯科治療に関連する情報及びデータロギングを使用者に提供する方法に関し、前記方法は、
・使用者が、複数の歯科治療のうちの選択された歯科治療を１つ又は複数の入力ユニットを使用して選択することを可能にすること、前記複数の歯科治療のうちの各歯科治療は、複数の連続するステップを備える、
・前記選択された歯科治療の前記複数の連続するステップのうちの第１のステップを実行することに関連する情報を示すように１つ又は複数のディスプレイのうちの１つを制御すること、
・前記使用者が前記第１のステップを完了したことを示す信号を受信したことに応答して、前記選択された歯科治療の前記複数の連続するステップのうちの所定の第２のステップを実行することに関連する情報を示すように前記１つ又は複数のディスプレイのうちの１つを制御すること
のステップを備え、前記所定の第２のステップ又は前記所定の第２のステップに後続するステップのために、前記方法は、
・使用者が、ステップの１つ又は複数の選ばれた選択可能な代替のシーケンスのうちのステップの選択された代替のシーケンスを前記１つ又は複数の入力ユニットを使用して選択することを可能にすることと、ステップの前記１つ又は複数の選択可能な代替のシーケンスは、前記選択された歯科治療と前記選択された歯科治療の現在のステップ、即ち、前記所定の第２のステップ又は前記所定の第２のステップに後続するステップ、との両方に依存して選ばれ、ステップの前記１つ又は複数の選択可能な代替のシーケンスは、１つ又は複数のステップを備え、前記選択に応答して、ステップの前記選択された代替のシーケンスのうちの第１のステップを実行することに関連する情報を示すように前記１つ又は複数のディスプレイのうちの１つを制御することと、
・前記使用者が歯科治療を完了及び／又は終了したことを示す信号を受信したことに応答して、少なくとも前記選択された歯科治療及びステップの全ての選択された代替のシーケンスを指定するデータログを生成することと
のステップを更に備える。
【００４２】
いくつかの実施形態では、処理ユニットは、使用者が、ステップの第１の代替のシーケンス及びステップの第２の代替のシーケンスを含むステップの複数の選ばれた選択可能な代替のシーケンスのうちのステップの選択された代替のシーケンスを前記１つ又は複数の入力ユニットを使用して選択することを可能にするように構成され、ステップの第１の代替のシーケンスは、ステップの第２の代替のシーケンスにおいて使用されない器具、材料、及び／又はデバイスの使用を含む。
【００４３】
いくつかの実施形態では、複数の歯科治療のうちの１つ又は複数は、選択可能なステップの代替のシーケンスがない、少なくとも１つの連続するステップを有する。
【００４４】
いくつかの実施形態では、方法は更に、データ記憶ユニット上に前記データログを記憶するステップを備える。
【００４５】
いくつかの実施形態では、前記データログは更に、以下に関連するデータを備える：
・選択された歯科治療において使用される歯科器具についての１つ又は複数の制御パラメータの値、及び／又は、
・選択された歯科治療の連続するステップを実行するために使用される時間。
【００４６】
いくつかの実施形態では、ステップの前記１つ又は複数の選ばれた選択可能な代替のシーケンスは、複数のステップを備え、第１のステップが完了したことを使用者が示した後に、前記方法は、
・ステップの前記選択された代替のシーケンスのうちの所定の第２のステップを実行することに関連する情報を示すように１つ又は複数のディスプレイのうちの１つを制御すること
のステップを更に備える。
【００４７】
いくつかの実施形態では、使用者が、ステップの１つ又は複数の選ばれた選択可能な代替のシーケンスのうちのステップの選択された代替のシーケンスを選択することを可能にするステップは、
・ステップの１つ又は複数の代替のシーケンスの各々についてのグラフィカル要素及び／又はテキストを示すように１つ又は複数のディスプレイのうちの１つを制御することと、
・使用者が、前記１つ又は複数の入力ユニットを使用してグラフィカル要素及び／又はテキストを選択し、それにより、ステップの選択された代替のシーケンスを選択することを可能にすることと
のステップ備える。
【００４８】
いくつかの実施形態では、表示されることになるステップの１つ又は複数の選ばれた選択可能な代替のシーケンスは、それらの選択の推定確率に依存して選ばれる。
【００４９】
いくつかの実施形態では、ステップの１つ又は複数のシーケンスを示す情報は、それらの選択の推定確率に依存して配置される。
【００５０】
いくつかの実施形態では、前記複数の歯科治療のうちの少なくとも１つは、個々の選択可能な器具のうちの第１の歯科器具の使用を伴う少なくとも１つのステップを備え、１つ又は複数の制御パラメータの所定の値が、前記少なくとも１つのステップを実行するための前記第１の歯科器具について設定される。
【００５１】
いくつかの実施形態では、本ステップのために使用されることを意図されない歯科器具がロックされ、それにより、使用者は、本ステップのために誤った器具を誤って使用することを防止され得る。
【００５２】
いくつかの実施形態では、前記第１のステップは、第１の歯科器具の使用を伴い、前記第２のステップは、第２の歯科器具の使用を伴い、ステップの前記選択された代替のシーケンスのうちの前記第１のステップは、第３の歯科器具の使用を伴い、前記方法は、
・前記第１の歯科器具についての１つ又は複数の制御パラメータの所定の値を設定することと、前記所定の値は、前記選択された歯科治療の前記第１のステップに適合される、
・前記第２の歯科器具についての１つ又は複数の制御パラメータの所定の値を設定することと、前記所定の値は、前記選択された歯科治療の前記第２のステップに適合される、
・前記第３の歯科器具についての１つ又は複数の制御パラメータの所定の値を設定することと、前記所定の値は、ステップの前記選択された代替のシーケンスのうちの前記第１のステップに適合される、
を更に備える。
【００５３】
いくつかの実施形態では、ステップの前記複数の選ばれた選択可能な代替のシーケンスのうちの１つは、ステップのデフォルトシーケンスであり、前記１つ又は複数の入力ユニットは、現在のステップが完了したことをアクティブ化されたときにシグナリングする第１のボタンを有し、第１のボタンは、ステップの前記デフォルトシーケンスを選択するために更に使用され得る。
【００５４】
いくつかの実施形態では、使用者は、臨床決定を行うように促されており、前記臨床決定は、ステップの前記選択された代替のシーケンスの選択において使用される。
【００５５】
第３の態様によると、本発明は、データ処理システムに、本発明の第２の態様に関連して開示された方法のステップを実行させるように適合されたプログラムコード手段を備えるコンピュータプログラム製品に関する。
【００５６】
いくつかの実施形態では、前記コンピュータプログラム製品は、プログラムコード手段を記憶した非一時的コンピュータ可読媒体を備える。
【００５７】
第４の態様によると、本発明は、情報及び／又は制御システムに、本発明の第２の態様に関連して開示された方法のステップを実行させるように適合されたプログラムコード手段を備えるコンピュータプログラム製品に関し、前記情報及び／又は制御システムは、歯科環境において使用するためのものであり、前記歯科環境は、いくつかの個々の選択可能な歯科器具と、選択された歯科器具の動作を制御するための少なくとも１つの器具制御ユニットとを含む歯科ユニットを備え、前記情報及び／又は制御システムは、処理ユニットと、歯科治療に関連する情報を表示するための１つ又は複数のディスプレイ及び１つ又は複数の入力ユニットとを備え、前記１つ又は複数のディスプレイ及び前記１つ又は複数の入力ユニットの両方は、前記処理ユニットに動作可能に接続可能である。
【００５８】
いくつかの実施形態では、前記コンピュータプログラム製品は、プログラムコード手段を記憶した非一時的コンピュータ可読媒体を備える。
【００５９】
本発明の様々な態様は、情報及び／又は制御システム、並びに上記及び下記の情報を提供する及び／又は制御信号を提供する方法を含む様々な方法で実施されることができ、各々は、上記の態様のうちの少なくとも１つに関連して説明された利益及び利点のうちの１つ又は複数をもたらし、各々は、上記の態様のうちの少なくとも１つに関連して説明された及び／又は従属請求項に開示された好ましい実施形態に対応する１つ又は複数の好ましい実施形態を有する。更に、本明細書で説明される態様のうちの１つに関連して説明される実施形態は、他の態様に等しく適用され得ることが理解されるであろう。
【００６０】
本発明の上記及び／又は追加の目的、特徴及び利点は、添付の図面を参照して、本発明の実施形態の以下の例示的且つ非限定的な詳細な説明によって更に解明されることになる。
【図面の簡単な説明】
【００６１】
【図１】本発明の一実施形態による、歯科環境において使用するための情報及び／又は制御システムの概略図を示す。
【図２】本発明の一実施形態による、情報及び／又は制御システムを備える歯科環境を示す。
【図３】本発明の一実施形態による、歯科治療に関連して歯科器具に情報を提供する及び／又は制御信号を提供する方法のフローチャートを示す。
【詳細な説明】
【００６２】
以下の説明では、本発明がどのように実施され得るかを例示として示す添付の図面を参照する。
【００６３】
図１は、本発明の一実施形態による、歯科環境において使用するための情報及びデータロギングシステム１００の概略図を示す。システム１００は、処理ユニット１０１、入力ユニット１０２、及びディスプレイ１０３を備える。ディスプレイ１０３及び入力ユニット１０２は両方とも、処理ユニット１０１に動作可能に接続される。この実施形態では、入力ユニット１０２は、ディスプレイ１０３とは別個であるが、他の実施形態では、これら２つは、単一のユニット、例えばタッチスクリーンに組み合わされ得る。処理ユニットは、使用者が、複数の歯科治療のうちの選択された歯科治療を入力ユニット１０２を使用して選択することを可能にするように構成され、複数の歯科治療のうちの各歯科治療は、複数の連続するステップを備える。一例として、使用者は、患者が充填治療を必要とすることを示し得る。使用者は、ディスプレイ１０３上に複数の歯科治療を提示されることによって、歯科治療を選択することを可能にされ得る。選択に応答して、処理ユニット１０１は、選択された歯科治療の複数の連続するステップのうちの第１のステップを実行することに関連する情報を示すようにディスプレイを制御するように更に構成される。一例として、ディスプレイ１０３は、第１のステップを説明する１つ又は複数の単語を示し得、例えば、第１のステップにおいて患者に麻酔を施すべきであることを示す単語「麻酔」が表示され得る。代替的に／追加的に、ディスプレイ１０３は、第１のステップにおいて使用されるべき歯科器具を示し得る。前記使用者が第１のステップを完了したことを示す信号を受信したことに応答して、処理ユニット１０１は、選択された歯科治療の複数の連続するステップのうちの所定の第２のステップを実行することに関連する情報を示すようにディスプレイ１０３を制御するように構成される。一例として、使用者は、入力ユニット１０２を使用して、例えば、入力ユニット１０２上のボタンを押すことによって、第１のステップが完了したことを示し得る。一例として、ディスプレイ１０３は、第２のステップを説明する１つ又は複数の単語を示し得、例えば、次のステップにおいて歯を掘削すべきであることを示す単語「掘削」が表示され得る。追加的に／代替的に、ディスプレイ１０３は、歯を掘削するために歯科ドリルが取り付けられたマイクロモータが使用されるべきであることを示し得る。いくつかの実施形態では、処理ユニット１０１は、１つ又は複数の歯科器具に動作可能に接続され、特定の連続するステップ用の歯科器具についての１つ又は複数の制御パラメータの所定の値を設定するように構成され、例えば、処理ユニットは、マイクロモータの回転数又は最大トルクを設定し得る。少なくとも１つのステップ、例えば、第２のステップ又は後続のステップのために、処理ユニット１０１は、使用者が、ステップの複数の選ばれた選択可能な代替のシーケンスのうちのステップの選択された代替のシーケンスを入力ユニット１０２を使用して選択することを可能にすることと、ステップの１つ又は複数の選択可能な代替のシーケンスは、前記選択された歯科治療と前記選択された歯科治療の現在のステップ、即ち、前記所定の第２のステップ又は前記所定の第２のステップに後続するステップ、との両方に依存して選ばれ、ステップの複数の選択可能な代替のシーケンスの各々は、１つ又は複数のステップを備え、選択に応答して、ステップの選択された代替のシーケンスのうちの第１のステップを実行することに関連する情報を示すように１つ又は複数のディスプレイのうちの１つを制御することとを行うように更に構成される。一例として、第２の連続するステップの後に、使用者は、例えば、歯の充填に使用されるべき充填材料を示すことによって、臨床決定を行うように促され得る。使用者は、ディスプレイ１０３上に可能な充填材料のリストを提示され、入力ユニット１０２を使用して充填材料を選択するように求められ得る。臨床決定は、ステップの代替のシーケンスの選択を直接もたらし得るか、又は選択を助け得る。最後に、処理ユニット１０１は、前記使用者が歯科治療を完了及び／又は終了したことを示す信号を受信すると、少なくとも選択された歯科治療及びステップの全ての選択された代替のシーケンスを指定するデータログを作成する。
【００６４】
その結果として、使用者は、治療が開始された後に利用可能になる情報を、完全な治療の構成において使用し得る。
【００６５】
図２は、本発明の一実施形態による、情報及び／又は制御システムを備える歯科環境２００を示す。歯科環境は、器具ホルダ２１０上に配置されたいくつかの個々の選択可能な歯科器具２１１と、歯科器具２１１の動作を制御するための器具制御ユニット２１３と、患者を支持するための歯科チェア２１２とを含む歯科ユニットを備える。情報及び／又は制御システムは、処理ユニット２０１、第１のディスプレイ２０３、第２のディスプレイ２０４、及び第１の入力ユニット２０２を備える。処理ユニット２０１は、第１のディスプレイ２０３、第２のディスプレイ２０４、及び第１の入力ユニット２０２に動作可能に接続される。処理ユニットは更に、器具制御ユニット２１３に動作可能に接続され得、それにより、個々の選択可能な歯科器具の動作は、処理ユニット２０１によって制御され得、例えば、処理ユニットは、個々に選択可能な歯科器具２１１のうちのいくつか又は全てについての１つ又は複数の制御パラメータの値を設定し得る。器具制御ユニット２１３及び処理ユニット２０１は、単一の処理ユニットに統合され得る。第２のディスプレイ２０４は、タッチスクリーンであり、それにより、第２の入力ユニットとして機能し得る。情報及び／又は制御システムは、歯科ユニットの一体部分であり得るか、又は歯科ユニットとは別個に提供され得る。
【００６６】
図３は、本発明の一実施形態による、歯科治療に関連する情報及びデータロギングを提供する方法のフローチャートを示す。本方法は、ステップ３０１において、使用者が、複数の歯科治療のうちの選択された歯科治療を１つ又は複数の入力ユニットを使用して選択することを可能にすることから開始され、複数の歯科治療のうちの各歯科治療は、複数の連続するステップを備える。次に、ステップ３０２において、１つ又は複数のディスプレイのうちの１つは、選択された歯科治療の複数の連続するステップのうちの第１のステップを実行することに関連する情報を示すように制御される。次いで、ステップ３０３において、１つ又は複数のディスプレイのうちの１つは、前記使用者が第１のステップを完了したことを示す信号を受信したことに応答して、選択された歯科治療の複数の連続するステップのうちの所定の第２のステップを実行することに関連する情報を示すように制御される。次に、ステップ３０４において、使用者は、ステップ３０５、３０６、３０７の１つ又は複数の選ばれた選択可能な代替のシーケンスのうちのステップの選択された代替のシーケンスを１つ又は複数の入力ユニットを使用して選択することを可能にされ、ステップの１つ又は複数の選択可能な代替のシーケンスは、選択された歯科治療と選択された歯科治療の現在のステップ、即ち、所定の第２のステップ、との両方に依存して選ばれる。この実施形態では、使用者は、ステップ３０５、３０６、３０７の３つの代替のシーケンスの間で選択することができる。この実施形態では、使用者は、選択された歯科治療の第２のステップを完了した後にのみ、ステップ３０５、３０６、３０７の３つの代替のシーケンスの間で選択することができる。しかしながら、他の実施形態では、使用者は、歯科治療の第１のステップ又は歯科治療の任意の後続のステップを完了した後に、ステップの１つ又は複数の代替のシーケンスの間で選択し得る。この実施形態では、ステップ３０５の代替のシーケンスは、３つの連続するステップ３５１〜３５３を備え、ステップ３０６の代替のシーケンスは、４つの連続するステップ３６１〜３６４を備え、ステップ３０７の代替のシーケンスは、２つの連続するステップ３７１〜３７２を備える。選択に応答して、１つ又は複数のディスプレイのうちの１つは、ステップの選択された代替のシーケンスのうちの第１のステップを実行することに関連する情報を示すように制御される。このことから、使用者がステップ３０５の代替のシーケンスを選択する場合、１つ又は複数のディスプレイのうちの１つは、ステップ３５１を実行することに関連する情報を示すように制御され、使用者がステップ３０６の代替のシーケンスを選択する場合、１つ又は複数のディスプレイのうちの１つは、ステップ３６１を実行することに関連する情報を示すように制御され、使用者がステップ３０７の代替のシーケンスを選択する場合、１つ又は複数のディスプレイのうちの１つは、ステップ３７１を実行することに関連する情報を示すように制御される。ステップ３０５〜３０７の各代替のシーケンスは、歯科器具、材料、及び／又は外科用コンポーネントの固有の組み合わせを使用し得る、即ち、ステップ３０５の代替のシーケンスは、ステップ３０６及び３０７の代替のシーケンスとは異なる歯科器具、材料、及び／又は外科用コンポーネントの組み合わせを使用し得、ステップ３０６の代替のシーケンスは、ステップ３０７の代替のシーケンスとは異なる歯科器具、材料、及び／又は外科用コンポーネントの組み合わせを使用し得る。最後に、ステップ３１０において、前記使用者が歯科治療を完了及び／又は終了したことを示す信号を受信したことに応答して、少なくとも選択された歯科治療及びステップの全ての選択された代替のシーケンスを指定するデータログが生成される。
【００６７】
いくつかの実施形態を詳細に説明し、示してきたが、本発明は、それらに限定されず、以下の特許請求の範囲に定義される主題の範囲内で他の方法で具現化もされ得る。特に、本発明の範囲から逸脱することなしに、他の実施形態が利用され得、構造的及び機能的な変更が行われ得ることを理解されたい。
【００６８】
いくつかの手段を列挙するデバイスの請求項では、これらの手段のうちのいくつかは、ハードウェアの同一のアイテムによって具現化されることができる。ある特定の手段が相互に異なる従属請求項に記載されているか又は異なる実施形態に記載されているという単なる事実は、これらの手段の組み合わせが有利に使用できないことを示すものではない。
【００６９】
本明細書で使用されるとき、「備える／備えている」という用語は、述べられた特徴、整数、ステップ、又はコンポーネントの存在を指定するように解釈されるが、１つ又は複数の他の特徴、整数、ステップ、コンポーネント、又はそれらのグループの存在又は追加を排除しないことが強調されるべきである。
【図１】
2020534089.tif 000003
【図２】
2020534089.tif 000004
【図３】
2020534089.tif 000005
【国際調査報告】
2020534089.tif 000006
2020534089.tif 000007
2020534089.tif 000008